(57)【要約】【課題】この発明は、記録再生に関する特定の動作が終了した際に、電源を遮断するかまたは電源の投入状態を継続させるかをユーザが設定可能とし、しかも、他の記録再生に関する動作との関連を判断してユーザの設定した電源制御を実行することを可能とした極めて良好な記録再生装置及びその制御方法を提供することを目的としている。【解決手段】ディスク１４に対して画像情報を記録再生可能な記録再生装置において、記録再生に関する特定の動作が終了した際に、電源をオフ状態にするかまたは電源のオン状態を継続させるかを、特定の動作の実行中でもユーザが選択設定可能とし、この選択設定された状態にすることを、特定の動作が終了した際の動作状態に応じて制限する。【選択図】    図１
2005044503.tif 000002
【特許請求の範囲】
【請求項１】
記録媒体に対して画像情報を記録再生可能な記録再生装置において、
記録再生に関する特定の動作が終了した際に、電源をオフ状態にするかまたは電源のオン状態を継続させるかを選択設定するもので、前記特定の動作の実行中でも、該特定の動作が終了した際に、電源をオフ状態にするかまたは電源のオン状態を継続させるかの選択設定を可能とする設定手段と、
この設定手段で選択設定された状態にすることを、前記特定の動作が終了したときの動作状態に応じて制限する制御手段とを具備してなることを特徴とする記録再生装置。
【請求項２】
前記制御手段は、前記設定手段によって前記特定の動作が終了した際に電源をオフにするように設定されていても、前記特定の動作が終了した際に他の記録再生に関する動作が実行されている場合、電源のオン状態を継続させることを特徴とする請求項１記載の記録再生装置。
【請求項３】
前記制御手段は、前記設定手段によって前記特定の動作が終了した際に電源をオフにするように設定されていても、前記特定の動作が終了した時点から次の記録再生に関する動作が開始されるまでの時間が所定時間以内である場合、電源のオン状態を継続させることを特徴とする請求項１記載の記録再生装置。
【請求項４】
前記所定時間は、電源のオフ処理に要する時間と、電源のオン処理に要する時間と、次の動作を実行するための準備処理に有する時間とを合計した時間であることを特徴とする請求項３記載の記録再生装置。
【請求項５】
記録媒体に対して画像情報を記録再生可能な記録再生装置において、
電源がオフの状態から記録再生に関する特定の動作が開始された場合、該特定の動作が終了した際に電源をオフ状態に設定し、電源がオンの状態から前記特定の動作が開始された場合、該特定の動作が終了した際に電源をオン状態に継続させるもので、前記特定の動作の実行中でも、該特定の動作が終了した際に、電源をオフ状態にするかまたは電源のオン状態を継続させるかの選択設定を可能とする制御手段を具備してなることを特徴とする記録再生装置。
【請求項６】
前記制御手段は、電源がオフの状態から前記特定の動作が開始された場合でも、前記特定の動作が終了した際に他の記録再生に関する動作が実行されている場合、電源のオン状態を継続させることを特徴とする請求項５記載の記録再生装置。
【請求項７】
前記制御手段は、電源がオフの状態から前記特定の動作が開始された場合でも、前記特定の動作が終了した時点から次の記録再生に関する動作が開始されるまでの時間が所定時間以内である場合、電源のオン状態を継続させることを特徴とする請求項５記載の記録再生装置。
【請求項８】
前記所定時間は、電源のオフ処理に要する時間と、電源のオン処理に要する時間と、次の動作を実行するための準備処理に有する時間とを合計した時間であることを特徴とする請求項７記載の記録再生装置。
【請求項９】
記録媒体に対して画像情報を記録再生可能な記録再生装置において、
記録再生に関する特定の動作が終了した際に、電源をオフ状態にするかまたは電源のオン状態を継続させるかを選択設定するもので、前記特定の動作の実行中でも、該特定の動作が終了した際に、電源をオフ状態にするかまたは電源のオン状態を継続させるかの選択設定を可能とする設定工程と、
この設定工程で選択設定された状態にすることを、前記特定の動作が終了したときの動作状態に応じて制限する制御工程とを有することを特徴とする記録再生装置の制御方法。
【請求項１０】
前記制御工程は、前記設定工程によって前記特定の動作が終了した際に電源をオフにするように設定されていても、前記特定の動作が終了した際に他の記録再生に関する動作が実行されている場合、電源のオン状態を継続させることを特徴とする請求項９記載の記録再生装置の制御方法。
【請求項１１】
前記制御工程は、前記設定工程によって前記特定の動作が終了した際に電源をオフにするように設定されていても、前記特定の動作が終了した時点から次の記録再生に関する動作が開始されるまでの時間が所定時間以内である場合、電源のオン状態を継続させることを特徴とする請求項９記載の記録再生装置の制御方法。
【請求項１２】
前記所定時間は、電源のオフ処理に要する時間と、電源のオン処理に要する時間と、次の動作を実行するための準備処理に有する時間とを合計した時間であることを特徴とする請求項１１記載の記録再生装置の制御方法。
【請求項１３】
記録媒体に対して画像情報を記録再生可能な記録再生装置において、
電源がオフの状態から記録再生に関する特定の動作が開始された場合、該特定の動作が終了した際に電源をオフ状態に設定し、電源がオンの状態から前記特定の動作が開始された場合、該特定の動作が終了した際に電源をオン状態に継続させるもので、前記特定の動作の実行中でも、該特定の動作が終了した際に、電源をオフ状態にするかまたは電源のオン状態を継続させるかの選択設定を可能とする制御工程を有することを特徴とする記録再生装置の制御方法。
【請求項１４】
前記制御工程は、電源がオフの状態から前記特定の動作が開始された場合でも、前記特定の動作が終了した際に他の記録再生に関する動作が実行されている場合、電源のオン状態を継続させることを特徴とする請求項１３記載の記録再生装置の制御方法。
【請求項１５】
前記制御工程は、電源がオフの状態から前記特定の動作が開始された場合でも、前記特定の動作が終了した時点から次の記録再生に関する動作が開始されるまでの時間が所定時間以内である場合、電源のオン状態を継続させることを特徴とする請求項１３記載の記録再生装置の制御方法。
【請求項１６】
前記所定時間は、電源のオフ処理に要する時間と、電源のオン処理に要する時間と、次の動作を実行するための準備処理に有する時間とを合計した時間であることを特徴とする請求項１５記載の記録再生装置の制御方法。
【発明の詳細な説明】
【技術分野】
【０００１】
この発明は、画像情報を記録媒体に対して記録再生する記録再生システムに係り、特に、例えば予約記録機能等の特定の動作モードを設定可能な記録再生装置及びその制御方法に関する。
【背景技術】
【０００２】
周知のように、画像情報及びその制御情報等を記録媒体に対して記録再生する記録再生装置においては、所定の動作モードが終了された際に、ユーザからの操作なしに自動的に電源を遮断（オフ）することにより、記録再生装置の不要な作動による電力消費を防止する機能が搭載されている。
【０００３】
具体的に言えば、例えば予約録画動作等が終了された際に、記録再生装置の電源を自動的にオフすることが行なわれている。
【０００４】
この種の電源制御に関する公知例としては、例えば、特許文献1及び特許文献２等がある。
【０００５】
特許文献1には、タイマー予約を設定し予約待機状態にセットすることにより、予約開始時刻に達すると録画が開始され、予約終了時刻に達すると録画が終了して自動的に電源をオフ状態にする技術が開示されている。また、ユーザの操作がなくなってから一定時間後に、自動的に電源をオフすることも行なわれている。
【０００６】
一方、特許文献２には、ユーザが設定した休眠モード時間に達すると、ユーザに機器を継続して使用することを希望するか否かを確認し、ユーザの応答がない場合に電源をオフさせる技術が開示されている。
【特許文献１】特開平８−２３５６７１号公報
【特許文献２】特開平９−２７９３８号公報
【発明の開示】
【発明が解決しようとする課題】
【０００７】
しかしながら、上記特許文献１のように、予約録画終了後に電源を自動的にオフする手法では、タイマー予約の設定後に、装置を予約待機状態にするための操作を行なう必要があり、取り扱いが煩雑になる。また、予約待機中は、装置の操作が制約されるという問題がある。さらに、予約録画が終了した直後に別の機能、例えば、再生を行ないたいとしても、強制的に電源がオフされてしまうという問題もある。
【０００８】
また、上記特許文献２のように、一定時間後に電源をオフする手法では、ユーザに与えられる設定可能な休眠モード時間として、例えば２時間や４時間等の比較的長い時間が多いため、短時間で電源をオフさせたい場合に不要な動作時間が生じる。また、装置の動作と同期をとっていないため、ユーザが使用しているにもかかわらず電源がオフされるという問題もある。
【０００９】
そこで、この発明は上記事情を考慮してなされたもので、記録再生に関する特定の動作が終了した際に、電源を遮断するかまたは電源の投入状態を継続させるかをユーザが設定可能とし、しかも、他の記録再生に関する動作との関連を判断してユーザの設定した電源制御を実行することを可能とした極めて良好な記録再生装置及びその制御方法を提供することを目的とする。
【課題を解決するための手段】
【００１０】
この発明に係る記録再生装置は、記録媒体に対して画像情報を記録再生可能なものを対象としている。そして、記録再生に関する特定の動作が終了した際に、電源をオフ状態にするかまたは電源のオン状態を継続させるかを選択設定するもので、特定の動作の実行中でも、該特定の動作が終了した際に、電源をオフ状態にするかまたは電源のオン状態を継続させるかの選択設定を可能とする設定手段と、この設定手段で選択設定された状態にすることを、特定の動作が終了したときの動作状態に応じて制限する制御手段とを備えるようにしたものである。
【００１１】
また、この発明に係る記録再生装置の制御方法は、記録媒体に対して画像情報を記録再生可能な記録再生装置を対象としている。そして、記録再生に関する特定の動作が終了した際に、電源をオフ状態にするかまたは電源のオン状態を継続させるかを選択設定するもので、特定の動作の実行中でも、該特定の動作が終了した際に、電源をオフ状態にするかまたは電源のオン状態を継続させるかの選択設定を可能とする設定工程と、この設定工程で選択設定された状態にすることを、特定の動作が終了したときの動作状態に応じて制限する制御工程とを有するようにしたものである。
【発明の効果】
【００１２】
上記した発明によれば、特定の動作が終了した際に、電源をオフ状態にするかまたは電源のオン状態を継続させるかを、特定の動作の実行中でも選択設定可能とするようにしたので、特定の動作が終了した際に電源を遮断するかまたは電源の投入状態を継続させるかをユーザが設定可能とし、しかも、他の記録再生に関する動作との関連を判断してユーザの設定した電源制御を実行することが可能となり、実用に適するものとなる。
【発明を実施するための最良の形態】
【００１３】
以下、この発明の実施の形態について図面を参照して詳細に説明する。図１は、この実施の形態で説明する記録再生装置を示している。
【００１４】
図１に示す記録再生装置は、外部からの情報を入力するＡＶ（Audio Video）入力部１１及びＴＶ（Television）チューナ部１２と、記録側を構成するエンコーダ部１３と、ＤＶＤ（Digital Versatile Disk）−ＲＡＭ（Random Access Memory），ＤＶＤ−Ｒ（Recordable）またはハードディスク等のディスク１４に対して情報の読み書きを行なうディスクドライブ部１５と、再生側を構成するデコーダ部１６と、再生情報を出力するＡＶ出力部１７と、装置本体の動作を制御するＭＰＵ（Micro Processing Unit）部１８と、録画予約の動作を制御するタイマーマイクロコンピュータ部１９と、ユーザに通知するための表示部２０と、ユーザからの操作要求を入力するユーザ操作入力部２１とから構成されている。
【００１５】
このうち、ディスクドライブ部１５は、ディスクドライブ２２と一時記録部２３とを含んでいる。一時記録部２３は、ディスクドライブ２２を介してディスク１４に書きこまれるデータのうち、一定量分をバッファリングしたり、ディスクドライブ２２から再生されたデータのうち、一定量分をバッファリングすることに利用される。具体的には、記録途中でディスク１４を使い切ってしまった場合において、新しいディスクに交換されるまでの記録情報を一時記憶しておくことに利用できる。
【００１６】
また、上記ＭＰＵ部１８は、制御プログラムにしたがい、ディスク１４に対する記録制御、再生制御、コピー制御、削除制御、ユーザ操作入力部２１の入力に応じた記録再生装置の動作の変更、表示部２０を用いたユーザへの表示等を実行する。
【００１７】
さらに、表示部２０は、記録再生装置の状態を表示するものであり、その表示のための情報は、装置の本体パネルや、ＡＶ出力データやユーザの入力情報とあわせて外部装置として、例えば、ＴＶ受信機等に出力される。
【００１８】
また、ユーザ操作入力部２１は、ユーザからの操作要求、例えば、記録再生装置の動作の変更や録画予約情報等を受け付けるもので、例えば、リモートコントローラとこのリモートコントローラからの操作情報を受信する受信部とで構成される。
【００１９】
さらに、上記タイマーマイクロコンピュータ部１９は、ユーザが設定した録画予約情報を管理し、録画予約開始時刻に達したら、ＭＰＵ部１８に記録開始を指示し、録画予約終了時刻に達したら、ＭＰＵ部１８に記録終了を指示する。
【００２０】
ここで、記録再生装置が、予約録画、コピー、削除等の記録再生に関する各種の特定動作を完了した際の動作について説明する。この場合、予約録画とは、ユーザが設定した開始日時から、ユーザが設定した外部入力の情報をディスク１４に記録開始し、ユーザが設定した終了日時に記録を終了させる動作である。
【００２１】
また、コピーとは、ユーザが指定した情報、例えば予約録画で記録した映像情報を、ユーザが指定したディスク１４にコピーする動作であり、コピー元に情報を残したまま情報を転送する複製、コピー元の情報を削除する移動、コピー元の情報を変換しながら転送する複製等の種類がある。コピー元の情報の変換とは、例えば同じ記録方式で、記録ビットレートを変換したり、記録方式を変換したりすることである。
【００２２】
さらに、削除とは、ユーザが指定した情報、例えば予約録画で記録した映像情報を、ディスク１４から削除する動作である。
【００２３】
図２は、予約録画が終了した際のＭＰＵ部１８の動作をまとめたフローチャートを示している。この場合、ユーザは、予約録画が終了した際に、記録再生装置の電源を自動的にオフするように、ユーザ操作入力部２１により予め設定しているものとする。
【００２４】
そして、ＭＰＵ部１８は、タイマーマイクロコンピュータ部１９から、予約録画終了時刻に達したことを知らせる通知を受ける（Ｓ１１）。この通知を受けたＭＰＵ部１８は、エンコーダ部１３及びディスクドライブ部１５に記録終了を指示し、ディスク１４への記録を終了させる（Ｓ１２）。
【００２５】
その後、ＭＰＵ部１８は、エンコーダ部１３及びディスクドライブ部１５の記録終了が確認できたら、電源をオフするか、電源入りのまま継続するかを判定する。この判定項目は、以下の５項目で、判定する順番は問わない。
【００２６】
１つ目の判定項目は、新たな予約録画が直ちに開始されるか否かの判定（Ｓ１３）である。つまり、予約録画が終了した現在の時刻から、次に設定されている予約録画開始時刻までの時間が、電源のオフ処理や、次の予約録画を開始するための起動（電源オン）処理及び録画準備処理に要する時間よりも短い場合には、電源をオフ状態にせずに電源投入状態を継続させたまま待機する。
【００２７】
また、予約録画が終了した現在の時刻から、次に設定されている予約録画開始時刻までの時間が、電源のオフ処理や、次の予約録画を開始するための起動（電源オン）処理及び録画準備処理に要する時間よりも長い場合には、次の予約録画を開始するまでに時間があるので、電源をオフする１つの条件が満たされたものとする。
【００２８】
具体的には、図３に示すように、電源オフ処理と電源オン処理と録画準備処理とに要する時間中に、次の予約録画の開始時刻に達するパターン１の場合は、電源をオフせず、電源入りのまま継続する。
【００２９】
一方、電源オフ処理と電源オン処理と録画準備処理とに要する時間中に、次の予約録画の開始時刻に達しないパターン２の場合は、電源オフを可能とする。この場合、電源オフ処理、電源オン処理、録画準備処理を合わせた時間中に、次の予約録画開始時刻に達しさえしなければ電源オフを可能としてもよいし、電源をオフしても直ちに次の予約録画のために電源を入れる無駄を考慮すると、電源オフされてから次に電源オンされるまでに所定の時間的余裕がある場合に、電源オフを可能とするようにしてもよい。
【００３０】
２つ目の判定項目は、記録動作中か否かの判定（Ｓ１４）である。予約録画が終了した際、直ちに記録動作が始まった場合は、電源オフを禁止として電源投入状態を継続させたままにする。また、コピーによる記録動作中も同様に扱われる。
【００３１】
特に、図４に示すように、ディスクドライブ部１５が複数（図示の場合は２つ）のディスク１４ａ，１４ｂを同時に制御できるよう、２つのディスクドライブ２２ａ，２２ｂから構成され、ＭＰＵ部１８が２つのディスクドライブ２２ａ，２２ｂを共に制御できる構成であった場合、ディスク１４ａに対する予約録画終了時に、ディスク１４ｂが記録動作中という場合もあり得る。
【００３２】
他の状況として、ディスク１４ａからディスク１４ｂへのコピー中は、ディスク１４ｂの記録動作中と同じ扱いで、電源オフを禁止とする。すなわち、記録再生装置内の全ての記録処理が実行されていない場合にのみ、電源オフが可能とされる。
【００３３】
３つ目の判定項目は、再生中か否かの判定（Ｓ１５）である。例えば、図４の構成において、ディスク１４ａに対する予約録画が終了した際に、ディスク１４ｂが再生動作中であれば、電源オフを禁止とする。記録再生装置内の全ての再生処理が実行されていない場合にのみ、電源オフが可能とされる。
【００３４】
４つ目の判定項目は、削除中か否かの判定（Ｓ１６）である。ディスク１４内の情報を削除している場合、電源オフを禁止とする。
【００３５】
５つ目の判定項目は、ＧＵＩ（Graphic User Interface）表示中か否かの判定（Ｓ１７）である。例えば、録画予約のためにＧＵＩを起動していた場合、ユーザは記録再生装置を使用中のため、電源オフを禁止とする。このＧＵＩとは、ユーザが設定もしくは選択するために、ユーザが起動した画面を指し、例えば再生位置を示すカウンタ表示等は含まない。
【００３６】
これら５つの判定項目を全て満足した場合、ＭＰＵ部１８は、電源をオフ（Ｓ１８）とする。１つでも満足しない場合には、電源入りのまま継続する。
【００３７】
図５は、コピーが終了した際のＭＰＵ部１８の動作をまとめたフローチャートを示している。ＭＰＵ部１８は、ディスクドライブ部１５からコピーが終了したことを知らせる通知を受ける（Ｓ１９）。この通知を受けたＭＰＵ部１８は、電源をオフするか、電源入りのまま継続するかを判定する。この電源オン／オフの判定は、図２に示した予約録画実行後と同様である。図５において、コピー終了通知処理（Ｓ１９）が、削除終了通知処理となれば、削除後の制御となる。
【００３８】
上記した実施の形態によれば、予約録画、コピーもしくは削除等の記録再生に関する特定の動作が終了した際に、記録再生装置内で動作中の機能を認識し、動作している機能がない場合に電源をオフすることで、不要な作動による電力消費を防止することが可能となる。
【００３９】
次に、上記した実施の形態の変形例について説明する。この変形例において、記録再生装置の構成は、図１または図４の構成となる。この変形例では、ＭＰＵ部１８における電源オフの判定処理が異なり、その他は上記した実施の形態と同様である。
【００４０】
ここで、予約録画やコピー、削除、再生、ディスク１４の記録領域がなくなった場合等、前出した動作完了後の動作を説明する。
【００４１】
すなわち、図６（ａ）に示すように、記録再生装置が電源オフの状態で、予約録画開始時刻に達した場合、記録再生装置の電源がオンされ、予約録画が開始される。予約録画終了時刻に達すると、予約録画が終了され、電源オフから動作を始めた場合、電源がオフされる。また、電源オンの状態で、予約録画が開始された場合には、予約録画が終了した際に電源投入状態を継続する。
【００４２】
さらに、図６（ｂ）に示すように、記録や再生、コピー、削除中に、ユーザ操作入力部２１を用いて、ユーザによる動作終了後の電源状態の設定を切り替えることができる。例えば、電源オフから始まった予約録画実行中に、ユーザにより「終了後電源入り」が設定された場合、予約録画終了時刻に達した際、予約録画を終了し、電源入りのまま継続される。
【００４３】
また、図６（ｃ）に示すように、電源オンの状態からコピー動作が開始されると、コピー動作が終了した際に電源オン状態のままとなる。一方、図６（ｄ）に示すように、電源オンの状態からコピー動作が開始されても、コピー動作中に電源の設定がオフ状態に切り替えられると、コピー動作が終了下際に電源がオフされる。
【００４４】
このような終了後電源設定は、予約録画やコピーに限らず、記録、再生、削除等、現在実行中の全ての動作に対して有効である。さらに、ユーザによる設定は、動作中いつでも切替可能であり、一度「終了後電源入り」に設定した後、再度「終了後電源切」に設定することも可能である。
【００４５】
「終了後電源切」と設定されていた場合、ユーザ設定にしたがい、記録再生装置において他の動作中であっても電源オフしてもよいし、上記した実施の形態のように、電源オフ前に記録再生装置内の動作状態を判定し、動作していない場合のみ電源オフしてもよい。
【００４６】
この変形例によれば、動作が終了した際、動作前の電源状態に移行する、もしくは、ユーザが設定した電源状態に動作が終了した際に移行することで、不要な作動による電力消費を防止することが可能となる。
【００４７】
上記した実施の形態及びその変形例において、動作開始前及び動作中における電源設定の切り替えは、ユーザが、ユーザ操作入力部２１のメニュー表示キーを操作することによって行なわれる。すなわち、動作開始前及び動作中にメニュー表示キーが操作されると、図７に示すように、その状態で操作が有効な各種のモードのメニュー画面Ｍが表示される。
【００４８】
そして、ユーザは、このメニュー画面Ｍに含まれる「電源設定」メニューＭａを選択することにより、動作終了後に電源をオンさせるかまたはオフさせるかを切り替えることができる。
【００４９】
この場合、特に、録画、ダビング、コピー等の特定の動作中であっても、電源設定の変更を可能とする点は、効果的である。すなわち、一旦、録画、ダビング、コピー等の動作が開始すると、相当の時間操作ができなくなるが、これらの動作中に設定変更を可能とすることによって、ユーザの使い勝手を向上させることができる。
【００５０】
特定動作後の電源制御は、例えば、録画終了後とダビング終了後とでは、ユーザによって異なる設定が必要になる場合があり、画一的に設定されると不便で、特定動作中に設定変更できる効果は、ユーザにとって非常に大きいものとなる。
【００５１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５２】
【図１】この発明の実施の形態を示すもので、記録再生装置を説明するために示すブロック構成図。
【図２】同実施の形態における予約録画が終了した後の電源のオンオフを制御する動作を説明するために示すフローチャート。
【図３】同実施の形態における予約録画終了後に次の予約録画時間に応じての電源のオンオフを制御する動作を説明するために示す図。
【図４】同実施の形態における２つのディスクに対して記録再生を行なうことができる記録再生装置を説明するために示すブロック構成図。
【図５】同実施の形態におけるコピーが終了した後の電源のオンオフを制御する動作を説明するために示すフローチャート。
【図６】同実施の形態における変形例を示すもので、動作終了後の電源状態の設定を切り替えることを説明するために示す図。
【図７】同実施の形態における動作終了後の電源状態の設定を切り替えるメニュー画面を説明するために示す図。
【符号の説明】
【００５３】
１１…ＡＶ入力部、１２…ＴＶチューナ部、１３…エンコーダ部、１４，１４ａ，１４ｂ…ディスク、１５…ディスクドライブ部、１６…デコーダ部、１７…ＡＶ出力部、１８…ＭＰＵ部、１９…タイマーマイクロコンピュータ部、２０…表示部、２１…ユーザ操作入力部、２２，２２ａ，２２ｂ…ディスクドライブ、２３，２３ａ，２３ｂ…一時記録部。
【図１】
2005044503.tif 000003
【図２】
2005044503.tif 000004
【図３】
2005044503.tif 000005
【図４】
2005044503.tif 000006
【図５】
2005044503.tif 000007
【図６】
2005044503.tif 000008
【図７】
2005044503.tif 000009